(57)【要約】【課題】録画や録音を予約して行う際におけるパスワードの入力に関する取り扱いを簡易にするための機能を備えた情報記録装置および情報記録用通信装置およびを提供する。【解決手段】ＨＤＤレコーダ１１は、情報の記録を行うときに用いられ、かつ情報の記録が行われる前に予め設定された予約情報に基づいて、チューナが放送波を選択して受信することによって得られる映像または音声の視聴に必要なパスワードが確認済みか否かの確認判定を行い、確認済みであると判定された予約情報に基づいて、情報記録手段により情報を記録するための予約設定を行う。【選択図】図２
2007336204.tif 000002
【特許請求の範囲】
【請求項１】
放送波を選択して受信するチューナと、
ネットワークを介して外部装置と通信し、前記外部装置から予約情報を受信する通信手段と、
前記チューナで受信して得られる映像データまたは音声データを記録する情報記録手段と、
前記通信手段が受信した予約情報に基づいて、前記情報記録手段に映像データまたは音声データを記録させるための予約設定を行う予約設定手段とを備え、
前記予約設定手段は、前記通信手段が前記予約情報を受信したとき、前記チューナが受信することによって得られる映像または音声の視聴に必要なパスワードが確認済みであるときは予約設定を行い、パスワードが確認済みでないときは予約設定を行わないことを特徴とする情報記録装置。
【請求項２】
前記予約設定手段が予約設定を行ったことを示す予約済み情報または予約設定を行わないことを示す予約不可情報を前記通信手段から前記外部装置に送信する予約不可情報提示手段を更に有することを特徴とする請求項１記載の情報記録装置。
【請求項３】
前記パスワードが確認済みか否かの確認判定を行う確認判定手段と、
前記予約情報によって指定される予約番組が前記パスワードの入力を要するパスワード要求番組であるか否かを判定する番組判定手段と、
該番組判定手段によって、前記予約番組が前記パスワード要求番組であると判定されたときに前記確認判定手段が前記確認判定を行い、前記予約番組が前記パスワード要求番組ではないと判定されたときは前記確認判定手段が前記確認判定を行わないように制御する確認判定制御手段とを更に有することを特徴とする請求項１または２記載の情報記録装置。
【請求項４】
ネットワークを介して他の情報記録装置とデータ通信を行う通信手段と、
放送波を選択して受信するチューナと、
前記チューナで受信して得られる映像データ又は音声データを記録する情報記録手段と、
前記他の情報記録装置によって映像データ又は音声データの記録が行われる前に予め設定される予約情報を生成する予約情報生成手段と、
前記チューナで受信して得られる映像または音声の視聴に必要なパスワードの正否を判定するパスワード判定手段とを有し、
該パスワード判定手段の判定結果に基づいて、前記パスワードが確認済みであるか否かを前記通信手段から前記他の情報記録装置に通知する通知制御手段とを有することを特徴とする情報記録装置。
【請求項５】
前記予約情報によって指定される予約番組が前記パスワードの入力を要するパスワード要求番組であるか否かを判定する番組判定手段と、
該番組判定手段によって、前記予約番組が前記パスワード要求番組であると判定されたときに前記パスワード判定手段が前記パスワードの正否を判定し、前記予約番組が前記パスワード要求番組ではないと判定されたときは前記パスワード判定手段が前記パスワードの正否を判定しないように制御する判定制御手段とを更に有することを特徴とする請求項４記載の情報記録装置。
【請求項６】
ネットワークを介して情報記録装置とデータ通信を行う通信手段と、
放送波を選択して受信するチューナと、
前記情報記録装置によって映像データ又は音声データの記録が行われる前に予め設定される予約情報を生成する予約情報生成手段と、
前記チューナで受信することによって得られる映像または音声の視聴に必要なパスワードの正否を判定するパスワード判定手段と、
該パスワード判定手段の判定結果に基づいて、前記パスワードが確認済みであるか否かを前記通信手段から前記情報記録装置に通知する通知制御手段とを有することを特徴とする情報記録用通信装置。
【発明の詳細な説明】
【技術分野】
【０００１】
本発明は、パスワードの入力に関する取り扱いを簡易にするための機能を備えた情報記録装置および情報記録用通信装置に関する。
【背景技術】
【０００２】
近年、ホームネットワークが構築されるようになってきている。ホームネットワークは、Ｅｔｈｅｒｎｅｔ（登録商標）や無線ＬＡＮ（Ｌｏｃａｌ  Ａｒｅａ  Ｎｅｔｗｏｒｋ）等のネットワークを介して家庭内のテレビや、ＨＤＤレコーダ（ＨＤＤ：Ｈａｒｄ  Ｄｉｓｋ  Ｄｒｉｖｅを内蔵した情報記録装置）、ＤＶＤレコーダ(ＤＶＤ:ｄｉｇｉｔａｌ  ｖｅｒｓａｔｉｌｅ  ｄｉｓｋに対するデジタルデータの記録機能を備えた情報記録装置)といった映像と音声の再生または記録機能を備えた装置を、例えばＵＰｎＰ等の技術仕様にしたがい相互に接続したものである。ホームネットワークでは、例えばＨＤＤレコーダのＨＤＤに録画した映像コンテンツをネットワークで接続されたテレビで再生する、またはＨＤＤに録画した映像コンテンツを別のＨＤＤレコーダのＨＤＤにネットワーク経由で複製する（ダビングする）、といった操作ができるようになっている。
【０００３】
ところで、ＨＤＤレコーダはビデオテープレコーダと比較すると多数の番組のデータを蓄積しておくことが可能ではあるが、必要がなくなった番組のデータをＨＤＤから削除していかないと、ＨＤＤが一杯になり、空いている領域が不足することになる。そうした場合の対応に関連して、従来、他の装置に録画命令を転送して、ネットワーク上に分散配置された録画装置によって、録画を分散して行うことに関する技術があった（例えば特許文献１）。
【特許文献１】特開平８−５６３５２公報
【発明の開示】
【発明が解決しようとする課題】
【０００４】
ところで、デジタル放送の放送波を受信して、テレビの映像コンテンツを録画したり、ラジオの音声データを録音する場合において、録画や録音の予約を行う際にパスワードの入力が必要とされることがある。例えば、視聴年齢が制限されている映像コンテンツや、データをダウンロードした回数に応じて課金されるＰＰＶ（Ｐａｙ  Ｐｅｒ  Ｖｉｅｗ）による映像コンテンツを録画しようとする場合である。そのため、録画や録音の予約に必要な情報（予約情報）を例えば従来技術のようにして転送して、録画や録音を行おうとする場合にも、パスワードを予約情報とともに転送することが必要となるが、通常パスワードは情報記録装置ごとに設定される。そのため、予約情報を転送するときは、転送先の情報記録装置で設定されているパスワードを予約情報とともに転送する必要がある。
【０００５】
しかし、特許文献１に開示されているように、例えば、ＨＤ（Ｈａｒｄ  Ｄｉｓｋ
）の空き領域が不足したり、録画する時間帯が重なる等して録画を分散して行う場合には次のような課題が生じる。すなわち、予約情報が情報記録装置で生成される時点では、必ずしもその予約情報に基づいて予約録画を実行する情報記録装置が確定していない（予約情報を生成した情報記録装置で録画を行う場合もあれば、他の情報記録装置で録画を行う場合もあるから）ため、録画を実行する情報記録装置用に設定されているパスワードをユーザが入力できない場合（入力されたパスワードが録画を行う情報記録装置に対応していない場合）が生じる。また、たとえパスワードを入力可能な状況であっても、情報記録装置ごとにパスワードを使い分けるのは、ユーザにとって煩雑であるという課題もある。
【０００６】
そこで、本発明は上記課題を解決するためになされたもので、録画や録音を予約して行う際におけるパスワードの入力に関する取り扱いを簡易にするための機能を備えた情報記録装置および情報記録用通信装置を提供することを目的とする。
【課題を解決するための手段】
【０００７】
上記課題を解決するため、本発明は、放送波を選択して受信するチューナと、ネットワークを介して外部装置と通信し、外部装置から予約情報を受信する通信手段と、チューナで受信して得られる映像データまたは音声データを記録する情報記録手段と、通信手段が受信した予約情報に基づいて、情報記録手段に映像データまたは音声データを記録させるための予約設定を行う予約設定手段とを備え、予約設定手段は、通信手段が予約情報を受信したとき、チューナが受信することによって得られる映像または音声の視聴に必要なパスワードが確認済みであるときは予約設定を行い、パスワードが確認済みでないときは予約設定を行わない情報記録装置を特徴とする。
【０００８】
また、本発明は、ネットワークを介して他の情報記録装置とデータ通信を行う通信手段と、放送波を選択して受信するチューナと、チューナで受信して得られる映像データ又は音声データを記録する情報記録手段と、他の情報記録装置によって映像データ又は音声データの記録が行われる前に予め設定される予約情報を生成する予約情報生成手段と、チューナで受信して得られる映像または音声の視聴に必要なパスワードの正否を判定するパスワード判定手段とを有し、そのパスワード判定手段の判定結果に基づいて、パスワードが確認済みであるか否かを通信手段から他の情報記録装置に通知する通知制御手段とを有する情報記録装置を提供する。
【０００９】
さらに本発明は、ネットワークを介して情報記録装置とデータ通信を行う通信手段と、放送波を選択して受信するチューナと、情報記録装置によって映像データ又は音声データの記録が行われる前に予め設定される予約情報を生成する予約情報生成手段と、チューナで受信することによって得られる映像または音声の視聴に必要なパスワードの正否を判定するパスワード判定手段と、そのパスワード判定手段の判定結果に基づいて、パスワードが確認済みであるか否かを通信手段から情報記録装置に通知する通知制御手段とを有する情報記録用通信装置を提供する。
【発明の効果】
【００１０】
以上詳述したように、本発明によれば、録画や録音を予約して行う際におけるパスワードの入力に関する取り扱いを簡易にするための機能を備えた情報記録装置および情報記録用通信装置が得られる。
【発明を実施するための最良の形態】
【００１１】
以下、本発明の実施の形態について説明する。なお、同一要素には同一符号を用い、重複する説明は省略する。
【００１２】
図１は本発明の実施の形態に係るＨＤＤレコーダ１１，１２を備えたホームネットワーク１の構成を示すブロック図である。ホームネットワーク１はＥｔｈｅｒｎｅｔ（登録商標）や無線ＬＡＮなどのネットワーク２を有し、映像データの伝送に必要な帯域が利用可能な技術を用いて構成されている。ネットワーク２にはＨＤＤレコーダ１１，１２、テレビ１３が接続されている。ＨＤＤレコーダ１１，１２は、詳しくは後述するが、いずれもＨＤＤとＤＶＤドライブを内蔵しており、放送波を受信して、ＭＰＥＧ（Ｍｏｖｉｎｇ  Ｐｉｃｔｕｒｅ  Ｉｍａｇｅ  Ｃｏｄｉｎｇ  Ｅｘｐｅｒｔｓ  Ｇｒｏｕｐ）−２形式でＨＤＤまたは光ディスクＤ（例えば、ＤＶＤ−ＲＡＭやＤＶＤ−Ｒ等）にデジタルデータを記録して、録画および録音を行える。また、記録したＭＰＥＧ２形式のデジタルデータを再生することも可能である。
【００１３】
ＨＤＤレコーダ１１，１２には映像出力を表示するモニタとしてのテレビ１４，１５がそれぞれ接続されている。テレビ１４，１５は、ＨＤＤレコーダによる再生映像や操作画面を表示することができる。テレビ１３は放送波を受信して、映像コンテンツを視聴することができるとともに、ＨＤＤレコーダ１１，１２がＨＤＤや光ディスクから再生した映像データおよび音声データを取得して映像および音声を再生する機能を有している。
【００１４】
図２は、ＨＤＤレコーダ１１の内部構成を示すブロック図である（図示はしないが、ＨＤＤレコーダ１２の内部構成もＨＤＤレコーダ１１の内部構成と同様であり、ＨＤＤレコーダ１２はＨＤＤレコーダ１１と同様の機能を有している）。ＴＶチューナ２１には図示されていないアンテナが受け取った放送波の信号が入力されている。ＴＶチューナ２１は入力される信号について復調等を行ってアナログ映像信号を出力する。このアナログ映像信号は、ＡＤＣ(Ａｎａｌｏｇ  Ｔｏ  Ｄｉｇｉｔａｌ  Ｃｏｎｖｅｒｔｅｒ)２２によって例えばサンプリング周波数１３．５ＭＨｚ、量子化ビット数８ビットで量子化される。同様にアナログ音声信号についてもＡＤＣ２２によって、例えばサンプリング周波数４８ｋＨｚ、量子化ビット数１６ビットで量子化される。
【００１５】
ＡＤＣ２２から出力されたデジタル映像信号とデジタル音声信号は、エンコーダ２３に入力される。エンコーダ２３は、入力されたデジタル映像信号をＭＰＥＧ−２規格に基づいて圧縮し、圧縮されたデジタル映像信号に変換して出力する。デジタル音声信号についても、例えばＡＣ（Ａｕｄｉｏ  Ｃｏｍｐｒｅｓｓｉｏｎ）−３規格に基づいて圧縮し、圧縮したデジタル音声信号に変換して出力する。
【００１６】
エンコーダ２３では、圧縮したデジタル映像信号とデジタル音声信号とを記録に適したフォーマットとなるよう信号処理を行ってデータプロセッサ２４に出力する。エンコーダ２３でエンコードされた情報やコントローラ３２で作成された管理情報は、データプロセッサ２４を介して、後述するＨＤＤ２５や、ＤＶＤドライブ２６に挿入されているＤＶＤ−ＲＡＭ等の光ディスクＤに記録される。
【００１７】
ＨＤＤ２５や、ＤＶＤドライブ２６に挿入された光ディスクＤに記録された信号（映像データや音声データ）は、データプロセッサ２４を介してデコーダ２７に出力される。デコーダ２７では入力された信号から映像信号と音声信号とを分離して、それぞれをデコードする機能を有している。デコーダ２７から出力された映像信号はビデオミキサ２８に入力される。ビデオミキサ２８では、フレームメモリ２９をバッファとして使用しながら、入力された映像信号とテキストデータや画像データとの合成が行われる。また、ビデオミキサ２８の出力は、ＤＡＣ３０（Ｄｉｇｉｔａｌ  Ｔｏ  Ａｎａｌｏｇ  Ｃｏｎｖｅｒｔｅｒ）により、アナログ信号に変換された後に、外部に出力される。デコーダ２７から出力された音声信号についても、同様にＤＡＣ３１でアナログ信号に変換された後に外部に出力される。
【００１８】
コントローラ３２は、ＭＰＵ（Ｍｉｃｒｏ  Ｐｒｏｃｅｓｓｉｎｇ  Ｕｎｉｔ）と、ＲＯＭおよびＲＡＭを有している。ＲＯＭには、制御プログラムやＭＰＵが実行するプログラムが書き込まれている。ＲＡＭは、ＭＰＵによるプログラムの実行に必要なワークエリアを提供し得るようになっている。コントローラ３２は、ＲＯＭに記憶されている制御プログラムに従い上述の各モジュールを制御して、録画や再生などのセット動作を統括する。また、コントローラ３２は、ユーザの操作する図示しないリモコンの操作情報を図示しない赤外線受光部を介して受信し、その受信した情報に従って動作を制御する。さらに、コントローラ３２は、ネットワーク２に接続されている他の装置（例えば、ＨＤＤレコーダ１２）との通信を行うネットワークインタフェース（ネットワークＩ／Ｆ）３３の動作を制御する。さらにまた、コントローラ３２は、ライブラリ管理機能を提供する。
【００１９】
コントローラ３２は、ＨＤＤ２５またはＤＶＤドライブ２６による情報の記録（ここでは録画を想定している）に用いられ、その情報の記録（録画）に先立ち予め設定された情報（以下「予約録画情報」という）に基づいて、予約録画の実行を制御する。ここで、予約録画情報は、チャンネル番号、録画開始時刻、録画終了時刻、録画モードなどの情報が含まれている。例えば、デジタル放送の場合であれば、録画開始時刻と録画終了時刻にかえてイベントＩＤを指定するといったように、録画を行うために必要な情報が予約録画情報である。録画モードは、録画に使用するコーデックの種別、ビットレートなどの情報である。また、予約録画情報には録画に直接必要な情報ではないが、番組のジャンルの情報やタイトル名などの情報も含むようにすることが可能である。
【００２０】
また、コントローラ３２は予約録画情報を記録している予約録画情報テーブルを保持している。予約録画情報テーブルはＲＯＭやＲＡＭ（またはＨＤＤ）に記憶されている。
【００２１】
そして、コントローラ３２は現在時刻を監視して予約録画情報テーブルに記録されているいずれかの予約録画情報の録画開始時刻になると録画動作を実行する。そして、録画開始時刻になると、予約録画情報のチャンネル番号で指定されたチャネルを選局し、録画モードに従ってエンコーダ２３を制御して録画を実行する。さらに、コントローラ３２は録画実行中に現在時刻を監視していて、録画終了時刻になると録画動作を停止し、録画動作によって記録された信号（映像信号および音声信号）を保存する。
【００２２】
ところで、コントローラ３２は、ネットワーク２に接続されている他の装置（例えば、ＨＤＤレコーダ１２）と通信を行うためにＵＰｎＰ（Ｕｎｉｖｅｒｓａｌ  Ｐｌｕｇ  ａｎｄ  Ｐｌａｙ）規格を用いている。
【００２３】
ここで、ＵＰｎＰについて説明する。ＵＰｎＰはＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に基づく動作が行われるネットワークにおいて、そのネットワークに接続されている装置（情報記録装置、プリンタ、スキャナなど）の発見や操作を面倒な設定を行うことなく実現できるようにすることを目的としている。
【００２４】
ＵＰｎＰでは、ネットワークに接続されている装置に対して何らかの機能を提供する装置が「デバイス」と呼ばれ、その「デバイス」が提供する機能が「サービス」と呼ばれる。また、「デバイス」の提供する「サービス」を利用、制御する側の装置は「コントロールポイント」と呼ばれる。なお、これらの「デバイス」や「コントロールポイント」はプロトコルを規定するための概念的なモデルである。そのため、実際の装置（例えば、ＨＤＤレコーダ１１，１２）は「デバイス」としての機能と、「コントロールポイント」としての機能を併有することもある。
【００２５】
そして、情報記録装置や、情報記録装置が提供する「サービス」を発見するためにはＳＳＤＰ（Ｓｉｍｐｌｅ  Ｓｅｒｖｉｃｅ  Ｄｉｓｃｏｖｅｒｙ  Ｐｒｏｔｏｃｏｌ）が用いられる。ＳＳＤＰを用いることで、「デバイス」は、「デバイス」や「サービス」がネットワーク上に存在することを通知したり、「コントロールポイント」が所望の「デバイス」を探索したりすることができる。ＳＳＤＰで発見した装置からは、Ｄｅｖｉｃｅ  Ｄｅｓｃｒｉｐｔｉｏｎと呼ばれるＸＭＬ（Ｅｘｔｅｎｓｉｂｌｅ  Ｍａｒｋｕｐ  Ｌａｎｇｕａｇｅ）形式で記述された情報記録装置の属性情報を取得することができる。Ｄｅｖｉｃｅ  Ｄｅｓｃｒｉｐｔｉｏｎには、装置を一意に識別するための識別子であるＵＤＮ（Ｕｎｉｑｕｅ  Ｄｅｖｉｃｅ  Ｎａｍｅ）、表示などに使用するＦｒｉｅｎｄｌｙＮａｍｅ、提供される「サービス」のリストなどが記述されている。同様に「サービス」についても、Ｓｅｒｉｖｃｅ  Ｄｅｓｃｒｉｐｔｉｏｎと呼ばれるＸＭＬ形式のデータを取得可能であり、実行できる操作などが記述されている。Ｓｅｒｖｉｃｅ  Ｄｅｓｃｒｉｐｔｉｏｎに記述されている操作は、ＳＯＡＰ（Ｓｉｍｐｌｅ  Ｏｂｊｅｃｔ  Ａｃｃｅｓｓ  Ｐｒｏｔｏｃｏｌ）を用いて呼び出される。
【００２６】
コントローラ３２は、ネットワーク２に接続されている他の装置（例えば、ＨＤＤレコーダ１２）から送信（転送）される予約録画情報を受け付けるために、ネットワーク録画予約サービスを作動させる。ネットワーク録画予約サービスはＵＰｎＰの「サービス」として実現される。「コントロールポイント」は、ネットワーク録画予約サービスを提供する装置に対して録画予約要求を送信することによって、録画予約を行うことができる。録画予約要求には予約録画情報が含まれる。ネットワーク録画予約サービスを提供する装置（すなわち、「デバイス」）は、録画予約要求を受信すると、受信した録画予約要求に含まれている予約録画情報を解析し、録画予約を設定できるか否かの判定を行う。また、「デバイス」は、その判定の結果を「コントロールポイント」に通知する。そして、「デバイス」は、録画予約を設定できた場合には、通常の録画予約（「デバイス」で録画予約が直接行われた場合）と同様に処理を実行する。
【００２７】
図３は、ネットワーク録画予約サービスを提供する情報記録装置（すなわち、「デバイス」）がネットワーク２を介して録画予約要求を受信したときに行う予約設定処理の動作手順を示すフローチャートである。以下の説明では、ＨＤＤレコーダ１１がＵＰｎＰにおける「デバイス」となり、ＨＤＤレコーダ１２が「コントロールポイント」となっている場合を想定している。したがって、以下の説明では、図６に示すように、ＨＤＤレコーダ１２がＨＤＤレコーダ１１に対して、後述する録画予約要求ＲＱを送信することによって予約録画情報を提示し、それに対応して、ＨＤＤレコーダ１１からＨＤＤレコーダ１２に、後述する録画予約応答ＲＳが送信（提示）される（後述する失敗情報等の返信）場合を想定している。なお、図３のフローチャートに沿って予約設定処理が行われる場合、コントローラ３２が予約設定制御手段、予約不可情報提示手段および確認判定制御手段としての動作を行っている。
【００２８】
ＨＤＤレコーダ１１では、コントローラ３２がネットワーク録画予約サービスを提供するためのプログラムの実行を開始して処理をステップ１に進め、受信した予約録画情報を解析する。続いて、コントローラ３２は処理をステップ２に進め、予約録画情報によって指定されている番組（予約番組）が録画可能か（受信可能か）どうかを判定する。コントローラ３２は、受信できない番組に対する録画であるときは、ステップ９に処理を進めて「コントロールポイント」であるＨＤＤレコーダ１２に対して、失敗であることを示す応答の情報（以下「失敗情報」という）を返信して提示する。また、コントローラ３２は、受信可能な番組であるときは処理をステップ３に進め、その番組に対する番組情報を取得する。ここで、取得される番組情報は例えば放送波に重畳されているＳＩ情報（Ｓｅｒｖｉｃｅ  Ｉｎｆｏｒｍａｔｉｏｎ）に含まれている。
【００２９】
次に、コントローラ３２は、処理をステップ４に進め、番組判定手段としての動作を行い、取得した番組情報に基づいて、予約番組がパスワードの入力を要するパスワード要求番組であるかどうかを判定する。パスワードの入力が必要なのは、例えば視聴年齢制限がかけられている場合である。コントローラ３２は、パスワードの入力を要するパスワード要求番組であると判定したときは処理をステップ５に進めるが、そうでなければステップ５を実行せずに処理をステップ６に進める。コントローラ３２は処理をステップ５に進めると、確認判定手段としての動作を行い、予約録画情報の送信元装置（すなわち、この場合はＨＤＤレコーダ１２）によってパスワードの確認が行われている否か（パスワードが確認済みか否か）を判定する。この場合、コントローラ３２は予約録画情報に含まれている後述するパスワード確認フラグを参照して、パスワードの確認が行われている否かを判定する。
【００３０】
そして、コントローラ３２は、送信元装置においてパスワードが確認されていない（パスワードが確認済みでない）と判定したときは、処理をステップ９に進め、「コントロールポイント」であるＨＤＤレコーダ１２に、失敗情報を返信する（この失敗情報には、予約の設定が行えないことを示す予約不可情報としての意味を有している）。また、コントローラ３２は、送信元装置においてパスワードが確認されているときは、処理をステップ６に進め、既存の録画予約などとの関係で新たな録画予約が設定できるか否か（録画予約を受付可能か否か）を判定し、設定できるときは処理をステップ７に進め、設定できないときは処理をステップ９に進めて失敗情報を返信する。
【００３１】
さらに、コントローラ３２は、処理をステップ７に進めると、予約設定手段としての動作を行い、確認済みと判定された予約録画情報に基づいて新規の録画予約を設定し（予約録画情報のうちの必要な情報を予約録画情報テーブルに登録し）、続くステップ８に処理を進めて、成功であることを示す応答の情報（以下「成功情報」といい、予約設定を行ったことを示す予約済み情報としての意味を有している）をネットワークＩ／Ｆ３３を作動させてコントロールポイントである「ＨＤＤレコーダ１２」に返信して提示する（以上のステップ８または９の処理によって、録画予約応答ＲＳが行われる）。
【００３２】
次に、ネットワーク録画予約サービスを提供するＨＤＤレコーダ１１に対する録画予約要求を行うＨＤＤレコーダ１２の動作手順について、図４に示すフローチャートを参照して説明する。なお、図４では、ＨＤＤレコーダ１２の動作と、ＨＤＤレコーダ１２を操作するユーザの動作とが含まれている。
【００３３】
まず、ユーザは、予約録画を行おうとするとき、ＨＤＤレコーダ１２に対して、予約録画情報を入力する必要がある。ステップ１１における予約録画情報の入力は、例えば、テレビ１５に表示されている以後放送予定の番組一覧を参照しながら、ユーザがリモコン操作により番組を指定することによって行われる。番組が指定されると、受信チャンネル、録画開始時刻、録画終了時刻などの情報が決定されるようになる。そのため、ＨＤＤレコーダ１２はそれらの情報をテレビ１５に表示する。
【００３４】
続いて、処理がステップ１２に進み、ＨＤＤレコーダ１２は録画モードを入力することができる画面（録画モード入力画面）をテレビ１５に表示させる。この録画モード入力画面が表示されているときに、録画モードなどの必要な情報が入力され、ユーザが入力した情報を確定する操作を行うと、コントローラが予約情報生成手段としての動作を行い、予約録画情報を生成する。これにより、予約録画情報の入力が完了する。予約録画情報の入力が完了すると、ＨＤＤレコーダ１２のコントローラは処理をステップ１３に進めて指定された番組の属性情報を取得する。属性情報は放送波に重畳されているＳＩ情報等から取得されるものである。
【００３５】
そして、ＨＤＤレコーダ１２のコントローラは処理をステップ１４に進めて、番組判定手段としての動作を行い、番組の属性情報に含まれる視聴年齢制限情報を取り出してＨＤＤレコーダ１２に設定されている視聴年齢設定情報と比較する。コントローラは、この比較により、ＨＤＤレコーダ１２のコントローラは予約番組がパスワード入力を要とするパスワード要求番組であるか否かを判定する。そして、コントローラはパスワード要求番組であると判定したときは処理をステップ１５に進めてユーザにパスワードの入力を要求するが、そうでなければステップ１５，１６を実行することなくステップ１７に処理を進める。
【００３６】
コントローラはステップ１５に続いて処理をステップ１６に進め、パスワード判定手段としての動作を行い、入力されたパスワードが予め設定されているパスワードと一致しているか否か、すなわち、入力されたパスワードが正しいパスワードであるか否か（パスワードの正否）を判定する。ここで、正しいパスワードであると判定されたときは処理をステップ１７に進めて予約録画情報を受け付け、予約録画情報テーブルに更新して処理を終了するが、そうでなければステップ１８に処理を進めて、録画予約失敗をユーザに通知して処理を終了する。この場合、コントローラは判定制御手段としての動作を行っている。
【００３７】
次に、一度入力された予約録画情報を他の機器に転送する場合の動作手順について図５のフローチャートを参照して説明する。予約録画情報が転送される装置は、「コントロールポイント」により、ＵＰｎＰプロトコルにしたがいネットワーク録画予約サービスが作動していることが検出された装置から選択される。上述のとおり、本実施の形態では、ＨＤＤレコーダ１１においてネットワーク録画予約サービスが作動しているため、「コントロールポイント」であるＨＤＤレコーダ１２が「サービス」であるＨＤＤレコーダ１１を選択し、ＨＤＤレコーダ１１に予約録画情報を送信して録画予約要求を実行することとなる。
【００３８】
そして、ＨＤＤレコーダ１２では、処理を開始すると処理を図５に示すステップ２１に進めて、ネットワーク２に接続されている装置の中から、予約録画情報の転送先の装置を選択する（この場合は、ＨＤＤレコーダ１１が選択される）。
【００３９】
続いて、ＨＤＤレコーダ１２のコントローラは処理をステップ２２に進めてパスワードが確認済みであるか否かを判定し、確認済みであると判定したときは処理をステップ２３に進めるが、そうでなければ処理を２４に進める。ステップ２３では、パスワードが確認済みであるか否かを示すパスワード確認フラグに、確認済みであることを示すデータ（例えば“１”）をセットするが、ステップ２４では、パスワード確認フラグをクリアする。このパスワード確認フラグは、予約録画情報に含めてネットワークＩ／Ｆ３３により、後続のステップ２５で送信される。こうすることによって、ＨＤＤレコーダ１２のコントローラは通知制御手段としての動作を行い、パスワードが確認済みであるか否かをＨＤＤレコーダ１１に通知するように制御している。
【００４０】
ステップ２３，３４に続いて処理がステップ２５に進むと、ＨＤＤレコーダ１２のコントローラはネットワークＩ／Ｆの動作を制御して、図６に示すようにして、予約録画情報を含む予約録画要求ＲＱを送信する。その後、処理がステップ２５に進むと、録画予約応答ＲＳを受信してそれに含まれる応答メッセージを参照し、続くステップ２７では、予約録画が成功であったか否かが判定され、成功であった場合にはステップ２８を実行するが、そうでなければステップ２８を実行することなく処理を終了する。ＨＤＤレコーダ１２のコントローラは、成功情報が返信されると、処理をステップ２８に進めて予約録画情報テーブルから該当する予約録画情報を削除する。
【００４１】
以上のように、ＨＤＤレコーダ１１は、ネットワーク２を介して外部（ＨＤＤレコーダ１２）から送信される予約録画情報に従って予約録画を行う場合において、その予約録画情報にパスワードが確認済みである否かを示すパスワード確認フラグが付加されているので、パスワード確認フラグを参照してそれが確認済みであれば、パスワードの入力を要する場合でも、新たなパスワードの入力がなくても予約録画を行える。したがって、ユーザは、番組情報を入力するなどして予約録画情報の入力操作を行う場合において、予約録画を設定する装置（上記実施形態では、ＨＤＤレコーダ１２）に対応したパスワードを入力すればよく、ネットワーク２上の別の装置（上記実施形態では、ＨＤＤレコーダ１１）のパスワードの入力を要しないし、実際の録画が他の装置によって行われるのかどうかを気にせずに入力操作を行える。そのため、録画を行う装置が確定していない状況でも、ユーザは確実にパスワードの入力を行えるから、ＨＤＤレコーダ１１は、パスワード入力に関する取り扱いが簡易である。また、パスワード入力をＨＤＤレコーダ１１、１２で使い分ける必要もなくなるから、パスワード入力に関する煩雑さが解消され、パスワード入力に関する取り扱いが一層簡易である。しかも、パスワード入力に関する取り扱いが簡易になるから、録画の負荷を分散する目的で予約録画情報を転送する場合の自由度が向上することとなる。
【００４２】
さらに、ＨＤＤレコーダ１１は、パスワードが確認されていないときは、録画予約が設定されないようになっているから、パスワード入力が必要なのに誤って録画されるようなこともない。さらに、パスワードが確認されていないときは、録画予約が行えないことを示す情報（上述の失敗情報）がＨＤＤレコーダ１１からＨＤＤレコーダ１２に返信されているので、録画予約が行えないことを録画予約情報を入力した側の装置（上述の場合はＨＤＤレコーダ１２）でユーザが確認することもできる。
【００４３】
ＨＤＤレコーダ１１は、パスワード要求番組についてだけパスワード確認を行うので、パスワード確認が必要最小限で行われるようになっている。
【００４４】
なお、既に転送した予約録画情報を変更する場合について、例えば録画開始時刻や録画終了時刻を変更する場合には、変更前に録画することとなっていた番組とは異なる番組を録画する可能性がある。そのため、この場合は、視聴年齢制限情報についても再確認することが必要となる。ネットワーク２に接続された装置に対して設定されている録画予約を変更する場合にも、新しい予約録画情報を転送する場合と同様に送信元装置におけるパスワード確認済みであることに基づいて、転送先装置が予約録画情報を変更することもできる。
【００４５】
上述した実施の形態においては、パスワード入力が必要な場合として、予約番組が視聴年齢制限のある番組であるか否かの視聴年齢制限情報に基づいてパスワード入力の要否を判定する場合について説明したが、本発明は、パスワード入力を要するその他の場合（例えばＰＰＶの場合）についても適用することが可能である。
【００４６】
ＨＤＤレコーダ１１、１２は、情報を記録する手段として、ＨＤＤを内蔵するがＤＶＤドライブを内蔵しない装置でもよい。また、ＨＤＤレコーダ１１、１２の代わりにＤＶＤドライブを内蔵するがＨＤＤを内蔵しないＤＶＤレコーダを用いてもよい。
【００４７】
また、ＨＤＤレコーダ１１に予約情報を送信する装置は、必ずしもＨＤＤレコーダ１２のように情報記録手段を有していなくてもよい。例えば、ネットワーク２を介してデータ通信を行うネットワークＩ／Ｆと、チューナとを備え、上記同様の予約情報を生成する予約情報生成手段と、パスワードの正否を判定するパスワード判定手段とを有し、さらに、パスワードが確認済みであるか否かを上記同様にしてＨＤＤレコーダ１１に通知するように制御する通知制御手段とを有する情報記録用通信装置としてもよい。
【００４８】
上記の実施の形態では、予約録画を行う場合を例にとって説明しているが、本発明は音声情報の記録を予約する場合（予約録音）についても適用することができる。
【００４９】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５０】
【図１】本発明の実施の形態に係るＨＤＤレコーダを備えたホームネットワークの構成を示すブロック図である。
【図２】本発明の実施の形態に係るＨＤＤレコーダの内部構成を示すブロック図である。
【図３】ネットワーク録画予約サービスを提供する情報記録装置が録画予約要求を受信したときに行う予約設定処理の動作手順を示すフローチャートである。
【図４】本発明の実施の形態に係るＨＤＤレコーダによって録画予約を行うときの動作手順を示すフローチャートである。
【図５】本発明の実施の形態に係るＨＤＤレコーダによって録画予約要求を送信するときの動作手順を示すフローチャートである。
【図６】本発明の実施の形態に係る２台のＨＤＤレコーダで行われる録画予約要求の送信および録画予約応答を送信するシーケンスを示したシーケンスチャートである。
【符号の説明】
【００５１】
２…ホームネットワーク、１１，１２…ＨＤＤレコーダ
１３，１４，１５…テレビ、２５…ＨＤＤ、２５…ＤＶＤ
３２…コントローラ、３３…ネットワークＩ／Ｆ
【図１】
2007336204.tif 000003
【図２】
2007336204.tif 000004
【図３】
2007336204.tif 000005
【図４】
2007336204.tif 000006
【図５】
2007336204.tif 000007
【図６】
2007336204.tif 000008